(57)【要約】【課題】乗りかごの透明性を向上させることができるエレベータ操作装置を提供する。【解決手段】エレベータ操作装置６Ａにおいて、操作者が入力操作する位置である操作位置を示す操作マークＭと、操作マークＭ上を通過するように光を出射し、操作者による光の遮断を検出する検出部１１とを備える。【選択図】図１
2007176682.tif 000002
【特許請求の範囲】
【請求項１】
操作者が入力操作する位置である操作位置を示す操作マークと、
前記操作マーク上を通過するように光を出射し、前記操作者による前記光の遮断を検出する検出部と、
を備えることを特徴とするエレベータ操作装置。
【請求項２】
前記検出部は、前記光を出射する投光部と、前記投光部により出射された前記光を受光する受光部とを有していることを特徴とする請求項１記載のエレベータ操作装置。
【請求項３】
前記光が通過する光路を前記操作者による前記光の遮断を可能に覆う覆い部材を備えることを特徴とする請求項１又は２記載のエレベータ操作装置。
【請求項４】
前記覆い部材には、前記操作マークに対向する貫通孔が形成されていることを特徴とする請求項３記載のエレベータ操作装置。
【請求項５】
前記操作マークを投影する投影部を備えることを特徴とする請求項１、２、３又は４記載のエレベータ操作装置。
【請求項６】
前記投影部は、前記操作者が乗る乗りかごの外部に設けられていることを特徴とする請求項５記載のエレベータ操作装置。
【請求項７】
前記投影部は、前記操作マークの表示形態を変更可能であることを特徴とする請求項５又は６記載のエレベータ操作装置。
【発明の詳細な説明】
【技術分野】
【０００１】
本発明は、エレベータ操作装置に関し、特に、操作者からの入力操作を検出するエレベータ操作装置に関する。
【背景技術】
【０００２】
近年、エレベータ装置では、意匠性等の観点から透明性（シースルー性）が要求されている。通常、エレベータ装置は、各階床に渡って昇降する乗りかごを備えている。この乗りかごには、乗客等の操作者からの入力操作を検出するエレベータ操作装置が設けられている（例えば、特許文献１参照）。
【０００３】
乗りかごの天板や側板は、光が透過するガラス等の透明材料により形成されており、乗りかごは透明性を有している。また、エレベータ操作装置は、操作者が入力操作する操作対象である行先階登録ボタン（行先階登録釦）や開閉ボタン（開閉釦）等のボタンスイッチを備えている。このボタンスイッチは、機械的に固定する必要があるため、通常、金属板に固定されており、配線等の電気部品に接続されている。
【特許文献１】特開２００２−３７５５２号公報
【発明の開示】
【発明が解決しようとする課題】
【０００４】
しかしながら、ボタンスイッチを機械的に固定するため、通常、金属板が用いられているので、乗りかごの透明性が低下してしまう。このため、乗りかごの意匠性も低下することになる。
【０００５】
本発明は、上記に鑑みてなされたものであり、その目的は、乗りかごの透明性を向上させることができるエレベータ操作装置を提供することである。
【課題を解決するための手段】
【０００６】
本発明の実施の形態に係る特徴は、エレベータ操作装置において、操作者が入力操作する位置である操作位置を示す操作マークと、操作マーク上を通過するように光を出射し、操作者による光の遮断を検出する検出部とを備えることである。
【発明の効果】
【０００７】
本発明によれば、乗りかごの透明性を向上させることができる。
【発明を実施するための最良の形態】
【０００８】
（第１の実施の形態）
本発明の第１の実施の形態について図１及び図２を参照して説明する。
【０００９】
図１及び図２に示すように、本発明の第１の実施の形態に係るエレベータ装置１は、開閉自在なドア２を有して各階に渡って昇降する乗りかご３と、乗りかご３の昇降移動等を制御する制御部４とを備えている。
【００１０】
乗りかご３は箱状に形成されており、昇降路内に昇降可能に設けられている。また、乗りかご３の乗り場側には、ドア２が開閉可能に設けられている。この乗りかご３の天板３ａや側板（図示せず）、さらにドア２の一部は、光が透過するガラス等の透明材料により形成されている。また、乗りかご３の底板３ｂは、例えば金属材料又は透明材料等により形成されている。
【００１１】
乗りかご３には、乗客等の操作者に停止階を報知する報知部５と、操作者からの入力操作を検出するエレベータ操作装置６Ａとが設けられている。報知部５は、ドア２に向かってその上側に設けられており、エレベータ操作装置６Ａは、ドア２に向かってその右側に設けられている。詳しくは、エレベータ操作装置６Ａは、乗りかご３の一部であって透明材料により形成された内壁３ｃ（図２参照）に固定されて設けられている。
【００１２】
報知部５は、配線７ａにより制御部４に電気的に接続されている。この報知部５は、エレベータ操作装置６Ａに対する操作者の入力操作に応じて制御部４により制御され、各階床に対応させて設けられた光源を選択して点灯させ、操作者に対して登録済の行先階を示す。
【００１３】
エレベータ操作装置６Ａは、各配線７ｂ、７ｃにより制御部４に電気的に接続されている。このエレベータ操作装置６Ａは、操作者からの入力操作に応じて制御部４にＯＮ／ＯＦＦ信号（オン／オフ信号）を入力操作結果として送信する。
【００１４】
制御部４は、各部を集中的に制御するＣＰＵ（Central Processing Unit）、ＣＰＵが実行する各種プログラム等を格納するＲＯＭ（Read Only Memory）、及びＣＰＵのワークエリア等として機能するＲＡＭ（Random Access Memory）（いずれも図示せず）等から構成されている。この制御部４は、エレベータ操作装置６Ａに対する操作者の入力操作に応じて、乗りかご３の昇降、ドア２の開閉及び報知部５の報知等を制御する。
【００１５】
次いで、エレベータ操作装置６Ａについて詳しく説明する。
【００１６】
図１及び図２に示すように、エレベータ操作装置６Ａは、操作者が入力操作する位置である操作位置をそれぞれ示す複数の操作マーク（操作印）Ｍと、それらの操作マークＭ上を通過するように赤外線等の光を出射し、操作者による光の遮断を検出する検出部１１と、その検出部１１を収納する収納ケース１２とを備えている。
【００１７】
検出部１１は、レーザ光等の光を出射する複数の投光部１１ａ（ｎ：正の整数）、１１ｂ（ｍ：正の整数）と、それらの投光部１１ａ（ｎ）、１１ｂ（ｍ）にそれぞれ対応させて設けられ、対応する投光部１１ａ（ｎ）、１１ｂ（ｍ）から出射された光を受光する複数の受光部１１ｃ（ｎ）、１１ｄ（ｍ）とから構成されている。
【００１８】
各投光部１１ａ（ｎ）、１１ｂ（ｍ）と各受光部１１ｃ（ｎ）、１１ｄ（ｍ）とは、それぞれ対向させて同じ個数だけ設けられており、光が通過する光路が格子状になるように配設されている。これにより、光路は縦列と横列の２つの系統を有することになる。ここで、投光部１１ａ（ｎ）が縦列であり、投光部１１ｂ（ｍ）が横列である。同様に、受光部１１ｃ（ｎ）が縦列であり、受光部１１ｄ（ｍ）が横列である。なお、第１の実施の形態では、ｎは４であり、ｍは５である。
【００１９】
縦列と横列のそれぞれの光路の各交点に対応する位置には、操作マークＭが設けられている。したがって、各操作マークＭも、乗りかご３の内壁３ｃに格子状に設けられることになる。このような操作マークＭとしては、行先階登録ボタン（行先階登録釦）や開閉ボタン（開閉釦）を示すマークを用いる。この操作マークＭは、例えば接着剤やシール剤等により乗りかご３の内壁３ｃに貼り付けられたり、あるいは、その内壁３ｃに直接印刷されたりしている。
【００２０】
受光部１１ｃ（ｎ）、１１ｄ（ｍ）は、投光部１１ａ（ｎ）、１１ｂ（ｍ）から出射された光の検出に応じて、ＯＮ／ＯＦＦ信号を制御部４に送信する。すなわち、光が検出された場合には、ＯＮ信号を制御部４に送信し、光が検出されない場合には、ＯＦＦ信号を制御部４に送信する。
【００２１】
制御部４は、受光部１１ｃ（ｎ）、１１ｄ（ｍ）から送信されたＯＮ／ＯＦＦ信号に応じて、乗りかご３の昇降、ドア２の開閉及び報知部５の報知等を制御する。すなわち、受光部１１ｃ（ｎ）、１１ｄ（ｍ）からＯＮ信号が送信された場合には、操作マークＭに対する入力操作が操作者により行われていないと判断し、各種の制御を行わない。一方、受光部１１ｃ（ｎ）、１１ｄ（ｍ）からＯＦＦ信号が送信された場合には、操作マークＭに対する入力操作が操作者により行われたと判断し、その入力操作結果に応じた制御を行う。
【００２２】
収納ケース１２は、額縁状に断面コの字型形状に形成された収納枠１２ａと、その収納枠１２ａの開口部を塞ぐ蓋部材１２ｂとにより構成されている。この収納ケース１２は、ゴミや虫等の異物の侵入を防ぎ、検出部１１がゴミや虫等の異物により誤動作することを防止しており、さらに、外部からの衝撃や指の接触等から検出部１１を保護している。
【００２３】
収納枠１２ａは、例えば金属材料や透明材料等により形成されている。また、蓋部材１２ｂは、各投光部１１ａ（ｎ）、１１ｂ（ｍ）から出射された光が透過する程度の透過性を有する材料により形成されている。
【００２４】
乗りかご３の床側に位置する床側蓋部材１２ｃは、乗りかご３の内壁３ｃから底板３ｂに向かって徐々に傾斜する傾斜面Ｋを有している。この傾斜面Ｋの傾斜角度は、その面上にゴミ等の異物が溜まらずに底板３ｂの床面に落ちる角度に設定されている。この傾斜面Ｋは、床側蓋部材１２ｃ上にゴミ等の異物が堆積することを防ぎ、検出部１１が異物により誤動作することを防止している。
【００２５】
次に、このような構成のエレベータ装置１が備えるエレベータ操作装置６Ａの検出動作について説明する。ここでは、特に、乗りかご３に乗り込んだ操作者が、指により、階床を示す操作マークＭを押下した場合と、乗りかご３の停止階で開ボタンを示す操作マークＭを押下した場合の各検出動作について説明する。
【００２６】
操作者が、例えば６階を示す操作マークＭを押下した場合には、エレベータ操作装置６Ａの検出部１１により、６階を示す操作マークＭ上を通過する光の遮断が検出される。すなわち、投光部１１ａ（２）から出射された光が操作者の指により遮断されたことが受光部１１ｃ（２）により検出される。同時に、投光部１１ｂ（５）から出射された光が操作者の指により遮断されたことが受光部１１ｄ（５）により検出される。これに応じて、受光部１１ｃ（２）及び受光部１１ｄ（５）は、制御部４にそれぞれＯＦＦ信号を送信する。
【００２７】
制御部４は、受光部１１ｃ（２）及び受光部１１ｄ（５）から送信された各ＯＦＦ信号を受信し、受信した各ＯＦＦ信号に基づいて、６階を示す操作マークＭが押下されたと判断し、行先階として６階を登録し、報知部５に６階を表示させ、乗りかご３を６階まで昇降移動させる制御を行う。
【００２８】
また、操作者が、乗りかご３の停止階で開ボタンを示す操作マークＭを押下した場合には、エレベータ操作装置６Ａの検出部１１により、開ボタンを示す操作マークＭ上を通過する光の遮断が検出される。すなわち、投光部１１ａ（４）から出射された光が操作者の指により遮断されたことが受光部１１ｃ（４）により検出される。同時に、投光部１１ｂ（２）から出射された光が操作者の指により遮断されたことが受光部１１ｄ（２）により検出される。これに応じて、受光部１１ｃ（４）及び受光部１１ｄ（２）は、制御部４にそれぞれＯＦＦ信号を送信する。
【００２９】
制御部４は、受光部１１ｃ（４）及び受光部１１ｄ（２）から送信された各ＯＦＦ信号を受信し、受信した各ＯＦＦ信号に基づいて、開ボタンを示す操作マークＭが押下されたと判断し、乗りかご３のドア２を所定時間（例えば３秒）開放する制御を行う。
【００３０】
なお、制御部４は、縦列の各受光部１１ｃ（ｍ）のうち２つ以上からＯＦＦ信号を同時に受信した場合、さらに、横列の各受光部１１ｄ（ｍ）のうち２つ以上からＯＦＦ信号を同時に受信した場合等、操作者による入力操作が誤動作であると判断し、乗りかご３の昇降、ドア２の開閉及び報知部５の報知等の制御を行わない。
【００３１】
以上説明したように、第１の実施の形態によれば、操作者が入力操作する位置である操作位置を示す操作マークＭと、操作マークＭ上を通過するように光を出射し、操作者による光の遮断を検出する検出部１１とを備えることによって、透明性を有する乗りかご３の内壁３ｃに操作マークＭを直接取り付けることが可能になるので、配線等の電気部品を接続する通常のボタンスイッチを用いることはなくなり、ボタンスイッチを機械的に固定するための金属板を用いる必要がなくなる。これにより、乗りかご３の透明性を向上させることができ、その結果として、乗りかご３の意匠性が向上することになる。
【００３２】
また、乗りかご３の内壁３ｃに操作マークＭを直接取り付けることが可能であることから、通常のボタンスイッチを用いる場合に比べ、エレベータ操作装置６Ａの厚さ方向の小型化を実現することができる。
【００３３】
さらに、検出部１１は、光を出射する投光部１１ａ（ｎ）、１１ｂ（ｍ）と、投光部１１ａ（ｎ）、１１ｂ（ｍ）により出射された光を受光する受光部１１ｃ（ｎ）、１１ｄ（ｍ）とを有していることから、簡単な部品により容易に検出部１１を形成することができ、さらに、操作マークＭの設置位置を変える場合にも、その変化に柔軟に対応することができる。
【００３４】
また、収納ケース１２を透明材料により形成し、収納ケース１２内の配線や部品をわざと見えるような意匠にすることによって、乗りかご３の透明性をさらに向上させることができる。
【００３５】
（第２の実施の形態）
本発明の第２の実施の形態について図３を参照して説明する。
【００３６】
本発明の第２の実施の形態は、基本的に第１の実施の形態と同様である。第２の実施の形態では、第１の実施の形態との相違点について説明する。なお、第１の実施の形態で説明した部分と同一部分は同一符号で示し、その説明は省略する（他の実施の形態でも同様とする）。
【００３７】
図３に示すように、エレベータ操作装置６Ｂの収納ケース１２には、光が通過する光路を操作者による光の遮断を可能に覆う覆い部材２１が設けられている。この覆い部材２１には、各操作マークＭにそれぞれ対向する複数の貫通孔２２が設けられている。
【００３８】
覆い部材２１の一部は、第１の実施の形態の蓋部材１２ｂに換わって収納枠１２ａの開口部を塞いでいる。この覆い部材２１は、光が透過する透明材料により形成されている。また、各貫通孔２２は、それぞれ対向する操作マークＭと略同じ大きさで同じ形状に形成されている。なお、第２の実施の形態では、貫通孔２２は、例えば円形に形成されている。
【００３９】
このような構成のエレベータ操作装置６Ｂに対し、操作者は各種の入力操作を行う。乗りかご３に乗り込んだ操作者は、指により操作マークＭを押下する。操作者は、覆い部材２１の貫通孔２２に指を挿入し、操作マークＭを押下する。操作者の指は、貫通孔２２により、光路と略直交し、操作マークＭに対し略直角に触れることになる。
【００４０】
このとき、覆い部材２１により、操作者の指以外の拳や洋服等が、他の操作マークＭ上を通過する光を遮断することはない。これにより、操作者が、例えば、６階を示す操作マークＭを押下しようとして、その下側に位置する３階を示す操作マークＭ上の光を遮ってしまうような誤操作を防止することができる。
【００４１】
このように、第２の実施の形態によれば、第１の実施の形態と同様の効果を得ることができる。さらに、覆い部材２１を設けることによって、操作マークＭ上の光が指以外の拳や洋服等により遮断されることがなくなるので、エレベータ操作装置６Ｂに対する誤操作を防止することができ、その結果として、操作者の操作性を向上させることができる。加えて、覆い部材２１を透明材料により形成することよって、乗りかご３の透明性を維持することができる。
【００４２】
（第３の実施の形態）
本発明の第３の実施の形態について図４及び図５を参照して説明する。
【００４３】
本発明の第３の実施の形態は、基本的に第１の実施の形態と同様である。第３の実施の形態では、第１の実施の形態との相違点について説明する。
【００４４】
図４及び図５に示すように、エレベータ操作装置６Ｃは、第１の実施の形態の構成に加え、各操作マークＭを投影する投影部３１を備えている。この投影部３１は、制御部４に配線７ｄにより電気的に接続されており、制御部４により駆動制御される。
【００４５】
投影部３１は、乗りかご３の外部に設けられている。詳しくは、投影部３１は、乗りかご３の上部に設けられており、乗りかご３の上部に固定された設置台３２及び設置台３２から伸びるアーム部材３３により支持されている。この投影部３１は、各操作マークＭを投影するための各種の映像データを記憶している。
【００４６】
投影部３１は、予め記憶している映像データに基づいて、乗りかご３の外部から乗りかご３の内壁３ｃに各操作マークＭを投影する。また、投影部３１は、制御部４からの制御信号を受信し、受信した制御信号に基づいて、各操作マークＭの表示形態を変更する。例えば、投影部３１は、受信した制御信号に応じて、登録済の行先階の階床を示す操作マークＭを点滅させたり、その操作マークＭの形状や色等を変更したりする。
【００４７】
このような構成のエレベータ操作装置６Ｃに対し、操作者は各種の入力操作を行う。投影部３１は、常時、乗りかご３の外部から乗りかご３の内壁３ｃに各操作マークＭを投影している。乗りかご３に乗り込んだ操作者は、各操作マークＭを視認し、指により操作マークＭを押下する。
【００４８】
このように、第３の実施の形態によれば、第１の実施の形態と同様の効果を得ることができる。さらに、投影部３１を設けることによって、乗りかご３の内壁３ｃに操作マークＭを部品として直接設けなくてもよくなり、操作マークＭの形状や色等を自由に設定することが可能になるので、意匠性を向上させることができる。
【００４９】
また、投影部３１が操作マークＭの表示形態を変更可能であることから、操作マークＭを点滅させたり、操作マークＭの形状や色等を変更したりすることが可能になるので、例えば、登録済の行先階の階床を示す操作マークＭを点滅させ、登録済の行先階を操作者に知らせることができる。その結果として、乗りかご３内の報知部５が不要となり、エレベータ装置１の簡素化を実現することができる。
【００５０】
（第４の実施の形態）
本発明の第４の実施の形態について図６を参照して説明する。
【００５１】
本発明の第４の実施の形態は、基本的に第１の実施の形態と同様である。第４の実施の形態では、第１の実施の形態との相違点について説明する。
【００５２】
図６に示すように、エレベータ操作装置６Ｄが備える検出部１１の投光部１１ｂ（ｍ）及び受光部１１ｄ（ｍ）が各操作マークＭに向かってその左右に設けられている。この場合にも、各投光部１１ａ（ｎ）、１１ｂ（ｍ）と各受光部１１ｃ（ｎ）、１１ｄ（ｍ）とは、それぞれ対向させて同じ個数だけ設けられ、光路が格子状になるように配設される。なお、第４の実施の形態では、ｎ及びｍは５である。
【００５３】
このように、第４の実施の形態によれば、第１の実施の形態と同様の効果を得ることができる。さらに、投光部１１ｂ（ｍ）及び受光部１１ｄ（ｍ）を各操作マークＭに向かってその左右に設けることによって、投光部１１ｂ（ｍ）及び受光部１１ｄ（ｍ）を各操作マークＭに向かってその上下に設けるスペースがない場合でも、乗りかご３の内壁３ｃにエレベータ操作装置６Ｄを設けることができる。
【００５４】
（第５の実施の形態）
本発明の第５の実施の形態について図７を参照して説明する。
【００５５】
本発明の第５の実施の形態は、基本的に第１の実施の形態と同様である。第５の実施の形態では、第１の実施の形態との相違点について説明する。
【００５６】
図７に示すように、エレベータ操作装置６Ｅが備える検出部１１の投光部１１ｂ（５）と受光部１１ｄ（５）は対向させて設けられておらず、光を反射する反射部材４１ａ、４１ｂが、投光部１１ｂ（５）から出射された光を受光部１１ｄ（５）に導くように設けられている。この反射部材４１ａ、４１ｂとしては、例えば、反射板や反射プリズム等を用いる。
【００５７】
このように、第５の実施の形態によれば、第１の実施の形態と同様の効果を得ることができる。さらに、反射部材４１ａ、４１ｂを設けることによって、例えば、投光部１１ｂ（５）及び受光部１１ｄ（５）を設けるスペースがない場合でも、希望する他のスペースに投光部１１ｂ（５）及び受光部１１ｄ（５）を設けることができる。したがって、反射部材４１ａ、４１ｂを用いることによって、投光部１１ａ（ｎ）、１１ｂ（ｍ）及び受光部１１ｃ（ｎ）、１１ｄ（ｍ）の設置レイアウトの自由度が向上する。
【００５８】
（他の実施の形態）
なお、本発明は、前述の実施の形態に限るものではなく、その要旨を逸脱しない範囲において種々変更可能である。
【００５９】
例えば、前述の実施の形態においては、乗りかご３内の操作盤としてエレベータ操作装置６Ａ、６Ｂ、６Ｃ、６Ｄ、６Ｅを乗りかご３に設けているが、これに限るものではなく、例えば、乗り場の操作盤としてエレベータ操作装置６Ａ、６Ｂ、６Ｃ、６Ｄ、６Ｅを乗り場に設けるようにしてもよい。
【００６０】
さらに、前述の実施の形態においては、投光部１１ａ（ｎ）、１１ｂ（ｍ）と受光部１１ｃ（ｎ）、１１ｄ（ｍ）とを用いて検出部１１を構成しているが、これに限るものではなく、例えば、検出部１１として、投光部１１ａ（ｎ）、１１ｂ（ｍ）と受光部１１ｃ（ｎ）、１１ｄ（ｍ）とを一体に有する反射センサを用いるようにしてもよく、また、ラインセンサを用いるようにしてもよい。
【００６１】
また、前述の実施の形態においては、操作者による入力操作が誤動作であると判断した場合、制御部４により、入力操作が誤動作であったことを操作者に報知するような制御を行っていないが、これに限るものではなく、入力操作が誤動作であったことを報知するようにしてもよい。この場合には、操作者に音声により入力操作が誤動作であることを報知してもよく、さらに、投影部３１を設けた場合には、その投影部３１により入力動作が誤動作であったことを示す画像を投影するようにしてもよい。
【００６２】
また、前述の第２の実施の形態においては、貫通孔２２を円形に形成しているが、これに限るものではなく、例えば、正方形やひし形等に形成するようにしてもよく、その形状は限定されない。
【００６３】
また、前述の第３の実施の形態においては、投影部３１を乗りかご３の外部に設けるようにしているが、これに限るものではなく、例えば乗りかご３の内部に設けるようにしてもよい。
【００６４】
最後に、前述の第３の実施の形態においては、投影部３１は常時、乗りかご３の内壁３ｃに各操作マークＭを投影しているが、これに限るものではなく、例えば行先階の登録がない場合や乗り場からの呼び出しがない場合等に、各操作マークＭを一時的に投影しないようにしてもよい。この場合には、消費電力を抑えることができる。
【図面の簡単な説明】
【００６５】
【図１】本発明の第１の実施の形態に係るエレベータ装置が備えるエレベータ操作装置の概略構成を示す模式図である。
【図２】図１に示すエレベータ操作装置の概略構成を示す断面図である。
【図３】本発明の第２の実施の形態に係るエレベータ装置が備えるエレベータ操作装置の概略構成を示す断面図である。
【図４】本発明の第３の実施の形態に係るエレベータ装置が備えるエレベータ操作装置の概略構成を示す模式図である。
【図５】図４に示すエレベータ操作装置の概略構成を示す断面図である。
【図６】本発明の第４の実施の形態に係るエレベータ装置が備えるエレベータ操作装置の概略構成を示す模式図である。
【図７】本発明の第５の実施の形態に係るエレベータ装置が備えるエレベータ操作装置の概略構成を示す模式図である。
【符号の説明】
【００６６】
６Ａ      エレベータ操作装置
６Ｂ      エレベータ操作装置
６Ｃ      エレベータ操作装置
６Ｄ      エレベータ操作装置
６Ｅ      エレベータ操作装置
１１      検出部
１１ａ    投光部
１１ｂ    投光部
１１ｃ    受光部
１１ｄ    受光部
２１      覆い部材
２２      貫通孔
３１      投影部
Ｍ        操作マーク
【図１】
2007176682.tif 000003
【図２】
2007176682.tif 000004
【図３】
2007176682.tif 000005
【図４】
2007176682.tif 000006
【図５】
2007176682.tif 000007
【図６】
2007176682.tif 000008
【図７】
2007176682.tif 000009